(57)【特許請求の範囲】
【請求項１】
主収納部１０ａの開口が自由状態では潰れて閉じない程度の自己保型性を有する背板（１１）と前板（１２）と、この背板（１１）と前板（１２）とを連結する同じく主収納部１０ａの開口が自由状態では潰れて閉じない程度の自己保型性を有する底板（１３）と両襠板（１４，１４）とで上部が開口したかばん本体（１０）を構成し、
該背板（１１）の上端には被せ蓋（２０）の基端部を連結し、この被せ蓋（２０）の自由端側に把手輪（２２）を取付けると共に、内面部に一方側面状ファスナー（２１ａ）を縫着し、前板（１２）には上記一方側面状ファスナー（２１ａ）が着脱可能に係止する他方側面状ファスナー（２１ｂ）を縫着し、また該背板（１１）の上部中央には一対の背負帯本体（３１，３１）の上端を固定し、この両背負帯本体（３１）の下端には夫々連結環体（４０）を取付け、
上記背板（１１）の底辺部位又は底板（１３）には、背負帯副ベルト（３２，３２）の基端部を固定し、この背負帯副ベルト（３２，３２）の自由端側を前記連結環体（４０）で連結位置調整可能に連結し、
上記背板（１１）の両側辺部位には胴ベルト（７０，７０）の基端部を固定し、この両胴ベルト（７０，７０）の自由端側には相互に着脱可能な係止具７１ａ，７１ｂを取付け、
上記一方の背負帯本体（３１）には胸ベルト（８１）の一端を取付け、この胸ベルト（８１）の自由端側に一方側面状ファスナー（８２ａ）を縫着し、先端に把手輪（８３）を取付け、他方の背負帯本体（３１）には上記一方側面状ファスナー（８２ａ）が着脱可能に係合する他方側面状ファスナー（８２ｂ）を縫着し、
前記両襠板（１４，１４）には、その下部には上部が開口するポケット体（６０）を取付け、上部には自由端側に吊り下げ連結環（５１）を取り付けた吊り下げ帯体（５０）の基端部を夫々取り付け、この両襠板（１４）の背板（１１）側で背板（１１）の上端より下方に下がった位置に、方形連結環（５２）の一辺を巻き込んで二つ折りした連結片（５３）を鋲着等によって夫々固定し、この方形連結環（５２，５２）の他辺には夫々吊り下げ帯体（５０）の上端を連結してなる背負かばん。
【発明の詳細な説明】
【０００１】
【発明の属する技術分野】
本発明は、背負かばんに関するもので、特に、心身の一部が不自由な人、或いは、心身障害者の介護をする介護者が使用するのに適した背負かばんに関するものである。
【０００２】
【従来の技術】
従来、心身に障害を持った児童、又は、その親等より、使い易いランドセルができないかとの強い要望が寄せられている。なお、この種の要望では、小学校への通学用のみでは無く、使用者の年齢に係わらず、日常使用したいとの意見も多いものである。すなわち、この種ランドセル式の背負かばんは、背中に背負うので、収納物が多く重くても比較的楽に使用できる。可能な人はかばんを背負っても手が使用でき安全でもある。背負帯を使用してかばん本体を車椅子やバギーカーのハンドルポスト等に掛けて吊ることができる。かばん本体が比較的硬質で自己保型性を有して開口部が開いている(無論、被せ蓋で開口部は閉じてあるが、この被せ蓋方は他の方式に比べ、開閉作業が容易化できる。)ので収納物の出し入れが比較的容易である。などの種々の利点を有し、この種ランドセル方式の背負かばんが要介護者用及び介護者用のかばんとして、最近特に注目されている。
【０００３】
しかし、心身の障害には個人差があって、個々の各自に共通して満足されるものを量産することは不可能とされ、現在では、例えば、法的には身体障害と無論認められない程度の、例えば、指先のみが多少不自由な人が使用し易いような背負かばん等といったものも、全く提案されないでいるのが現状である。
【０００４】
【発明が解決しようとする課題】
そこで本発明は、上記問題点に鑑みなされたもので、万人が満足することはできないが、心身の一部に障害を有する人が、又は、心身障害者の介護人が、使い勝手よく使用できる背負かばんを提供することを課題としたものである。
【０００５】
【課題を解決するための手段】
上記課題を達成するため、本発明は、主収納部１０ａの開口が自由状態では潰れて閉じない程度の自己保型性を有する背板１１と前板１２と、この背板１１と前板１２とを連結する同じく主収納部１０ａの開口が自由状態では潰れて閉じない程度の自己保型性を有する底板１３と両襠板１４，１４とで上部が開口したかばん本体１０を構成し、該背板１１の上端には被せ蓋２０の基端部を連結し、この被せ蓋２０の自由端側に把手輪２２を取付けると共に、内面部に一方側面状ファスナー２１ａを縫着し、前板１２には上記一方側面状ファスナー２１ａが着脱可能に係止する他方側面状ファスナー２１ｂを縫着し、また該背板１１の上部中央には一対の背負帯本体３１，３１の上端を固定し、この両背負帯本体３１の下端には夫々連結環体４０を取付け、上記背板１１の底辺部位又は底板１３には、背負帯副ベルト３２，３２の基端部を固定し、この背負帯副ベルト３２，３２の自由端側を前記連結環体４０で連結位置調整可能に連結し、上記背板１１の両側辺部位には胴ベルト７０，７０の基端部を固定し、この両胴ベルト７０，７０の自由端側には相互に着脱可能な係止具７１ａ，７１ｂを取付け、上記一方の背負帯本体３１には胸ベルト８１の一端を取付け、この胸ベルト８１の自由端側に一方側面状ファスナー８２ａを縫着し、先端に把手輪８３を取付け、他方の背負帯本体３１には上記一方側面状ファスナー８２ａが着脱可能に係合する他方側面状ファスナー８２ｂを縫着し、前記両襠板１４，１４には、その下部には上部が開口するポケット体６０を取付け、上部には自由端側に吊り下げ連結環５１を取り付けた吊り下げ帯体５０の基端部を夫々取り付け、この両襠板１４の背板１１側で背板１１の上端より下方に下がった位置に、方形連結環５２の一辺を巻き込んで二つ折りした連結片５３を鋲着等によって夫々固定し、この方形連結環５２，５２の他辺には夫々吊り下げ帯体５０の上端を連結してなる技術的手段を講じたものである。
【０００６】
本発明背負かばんは、容易には変形しない、即ち、かばん本体（１０）の主収納部１０ａの開口が自由状態では潰れて閉じない程度の自己保型性を有する背板１１と前板１２と、この背板１１と前板１２とを連結する同じく容易には変形しない、即ち、かばん本体（１０）の主収納部１０ａの開口が自由状態では潰れて閉じない程度の自己保型性を有する底板１３と両襠板１４，１４とで上部が開口したかばん本体１０を構成してあるので、該かばん本体１０の上部開口が常に(被せ蓋２０を開くことを前提としている。)開いていて、収納物の出し入れが容易となる作用を呈するものである。
【０００７】
また、本発明背負かばんは、背負帯本体３１，３１と背負帯副ベルト３２，３２とを有した背負式となしてあるので、背負うことができ、かばん着装時に手が使用でき安全にかばんを携行できる作用を呈すると共に、この背負帯本体３１，３１を、図２に示す車椅子やバギーカー１００のハンドルポスト１０１に掛けて吊ることが可能となる作用をも呈するものである。
【０００８】
本発明背負かばんは、両襠板１４，１４に自由端側に吊り下げ連結環５１を取り付けた吊り下げ帯体５０，５０を設けてあるので、車椅子又はバギーカー１００のハンドルポスト１０１，１０１に設けたフック１０２，１０２にかばん本体１０を吊り下げることができ、前記背負帯本体３１，３１の吊り下げとで、よりしっかりと安定的にかばん本体１０を車椅子やバギーカー１００に保持できる作用を呈するものである。
【０００９】
【００１０】
本発明背負かばんは、前記の作用に加えて、両襠板１４，１４に上部が開口するポケット体６０を設けたので、このポケット体６０に、頻繁に使用するハンカチーフや飲み物等を収納できる作用を呈する。また、このポケット体６０には、その上部に取付けた吊り下げ帯体５０の自由端側を収納できる作用をも呈するものである。
【００１１】
【００１２】
また、本発明背負かばんは、上記の作用に加えて、両胴ベルト７０，７０を設けたので、かばん本体１０を使用者の胴にも固定できるが、かばん本体１０を使用者の胴に固定するのが目的ではなく、車椅子やバギーカー１００のハンドルポスト１０１、１０１に締着・固定するのが目的で、かばん本体１０をより安定的に車椅子やバギーカー１００に固定できる作用を呈する。
【００１３】
【００１４】
本発明背負かばんは、胸ベルト８１を設けたので背負帯本体３１，３１が背中より滑り落ちることを防止する作用を呈する。また、この胸ベルト８１は面状ファスナー８２ａ，８２ｂによる係合となしたので、背負帯本体３１，３１が滑り落ちる方向への力、すなわち面方向への力には大きな効力を有し、着脱方向の力、すなわち面とは直交方向の力に対しては容易に外れる作用を呈し、容易に着脱できるが大きな荷重によっても脱落しない作用を呈するものである。
また本発明は、胸ベルト８１の自由端側先端に把手輪８３を取付けたので、この把手輪８３を握ることで、両面状ファスナー８２ａ，８２ｂを小さな力で容易に外すことができる作用を呈するものである。
【００１６】
【００１７】
本発明背負かばんは、前記の作用に加え、被せ蓋２０の自由端側に把手輪２２を取付けると共に、内面部に一方側面状ファスナー２１ａを縫着し、前板１２には上記一方側面状ファスナー２１ａが着脱可能に係止する他方側面状ファスナー２１ｂを縫着してなるので、被せ蓋２０の着脱が前記胸ベルト８１と同様に容易に着脱できる作用を呈するものである。
【００１８】
【００１９】
それ故、本発明背負かばんは、前記ポケット体６０の頻繁に出し入れする品物の収納と、吊り下げ帯体５０によるかばん本体１０の吊り下げ作用と、前記胴ベルト７０，７０による固定作用とを共に呈するものである。
【００２０】
【００２１】
本発明背負かばんは、前記の作用にさらに加えて、胸ベルト８１による背負帯体３１，３１の肩よりの脱落を防止する作用とを呈するものである。
【００２２】
【実施例】
次に、本発明の実施例を、添付図面を参照して詳細に説明する。図中、１０が、かばん本体である。このかばん本体１０は、容易には変形しない背板１１と前板１２と、この背板１１と前板１２とを連結する同じく容易には変形しない底板１３と両襠板１４，１４とで上部が開口した形状に構成してなる。この背板１１、前板１２、底板１３、襠板１４，１４は、夫々従来公知な材質及び形状のものを使用し、従来公知な方式で夫々を連結して上部が開口した箱状の主収納部１０ａを構成すればよい。
【００２３】
上記かばん本体１０は通常のランドセルでは、上記底板１３と襠板１４，１４とは一体となして略Ｕ字状に折り曲げ、その前端側に前板１２を縫着し、後端側にクッション材を介装した背板１１を縫着して、上部が開口した主収納部１０ａを構成するが、縫合部を少なくして軽量化するために、該背板１１と底板１３と前板１２とを一体形成してもよい。なお、必要に応じて前記前板１２の外面側にファスナー開口部９２を有した副収納部１０ｂを取付け、主収納部１０ａと副収納部１０ｂとで、かばん本体１０を形成してある。なお、本願で「容易には変形しない」とは、自然状態に放置した際に、その立体形状が略維持できる自己保型性を有するものであればよく、さらに具体的には、主収納部１０ａの開口が自由状態では潰れて閉じない程度の自己保型性を有するものを意味するものである。
【００２４】
上記背板１１と底板１３と前板１２とを一体成形する場合は、図６に示すように、裏布地１と表生地２との間に発泡樹脂材３を一体挟持した積層生地６が使用され、該裏布地１は適宜織布が、表生地２には天然皮革又はその類似物等が使用され、裏布地１と表生地２とに挟持された発泡樹脂材３は、成型型に挟んで発泡させることで、適宜な補強凸条１ａやポケット状膨出部(図示せず)を設ける(成型する)と共に、裏布地１と表生地２と発泡樹脂材３とを一体化している。なお、この種積層生地６の端部はＵ字状に折り曲げた縁取り生地４を縫い糸５で縫着すればよい。また、本実施例では、後記する被せ蓋２０も別体に構成してなるが、該被せ蓋２０をも、上記背板１１と底板１３と前板１２と共に、該積層生地６で一体構成してもよいものである。
【００２５】
上記背板１１と底板１３と前板１２とを一体化した例では、これを略Ｕ字状に折り曲げ、その両側部に夫々襠板１４を取付けることで、主収納部１０ａが構成できるものである。なお、この両襠板１４，１４は他の部材と同じく裏布地１と表生地２と発泡樹脂材３との三層の積層生地６を使用してもよいが、別の実施例としては比較的軟質な樹脂成形板材を使用してもよい。なお、背板１１と底板１３と前板１２とを一体化すると、背板１１と底板１３との連結部及び、底板１３と前板１２との連結部の縫合が省略できその分軽量化に寄与できるが、さらに、この裏布地１と表生地２と発泡樹脂材３との三層の積層生地６は、適宜のクッション性を有すると共に、補強用として断面形状を適宜変化させることで適宜な剛性をも持たせることができるので、背板１１として従来使用されていた硬質な基板とクッション材とを省略できる利点をも有するものである。
【００２６】
前記背板１１の上端には、被せ蓋２０の基端部を連結し、この被せ蓋２０の自由端を前板１２に着脱可能に係止し、また、該背板１１の上部中央には一対の背負帯本体３１，３１の上端を固定し、この両背負帯本体３１の下端には夫々連結環体４０を取付けてある。この被せ蓋２０は従来と同じで、前記したように背板１１と一体成形してもよいが、一般的には基端部を背板１１の上端部に縫合して取付けてある。なお、通常、この被せ蓋２０の自由端はかばん本体１０の底板１３に係止しているが、かばん本体１０の底板１３側に手を回すのは意外と繁雑な作業であるため、本発明では被せ蓋２０の自由端は、前板１２(必要に応じて副収納部１０ｂを設けた場合はこの副収納部１０bの前面でも可)に着脱可能に係止するようになしてある。
【００２７】
上記該背板１１の上部中央には、一対の背負帯本体３１，３１の上端を固定し、この両背負帯本体３１の下端には夫々連結環体４０を取付けてある。この背負帯本体３１，３１の上端を背板１１に固定するには通常背負帯取付金具(図示せず）を使用しているが、本実施例では軽量化のために、この背負帯取付金具は使用せずに、背負帯本体３１，３１の上端を背板１１に直接縫着して固定している。該背負帯本体３１，３１の上端を背板１１と、図１に示す当て生地３４との間に挟み込み、この背負帯本体３１，３１を当て生地３４と共に背板１１に縫着（図示はしていないが、この背負帯本体３１の連結部には荷重が直接加わるため、強固で強靱な連結が要求され、鋲着も併用することが望ましい。）している。なお、この当て生地３４の縫着に伴い、かばん本体１０を吊り下げるための吊り手体３３の両端を共に縫着してもよい。
【００２８】
なお、上記背負帯本体３１は従来公知なものを使用すればよいが、本実施例では軽量で強靱なものとして、図７に示すようなものを使用している。この図７例の背負帯本体３１は、強靱な糸材を筒状に編んだり織って構成した繊維製本体３１ａ内に、発泡合成樹脂体等で構成したクッション材３１ｂを収納して構成してあり、該繊維製本体３１ａの糸材を化学繊維等を使用することで、軽量であっても充分な強度を有する背負帯本体３１が得られるものである。
【００２９】
また、上記連結環体４０は、背負帯本体３１と後記背負帯副ベルト３２とを連結位置調整可能に連結して、この背負帯本体３１と背負帯副ベルト３２とで一本の背負帯３０を構成するものである。そして、該連結環体４０は、その上部に連結部を有しその下部に指掛部を延設した縦長のものが使用され、背負帯３０の長さを容易に変更できるようになしているが、この連結環体４０の詳細な説明は次に記載するものとする。
【００３０】
上記背板１１の底辺部位又は底板１３には、背負帯副ベルト３２，３２の基端部を固定し、この各背負帯副ベルト３２の自由端側を前記連結環体４０で連結位置調整可能に、前記背負帯本体３１に連結してある。この連結環体４０は、従来公知なバックルを使用してもよいが、本実施例では長さ調整を簡単に行なえるものとして、図４に最も明らかに示すように、上部環体部４０ａに背負帯本体３１の下端を固定する第一横桟４１と、背負帯副ベルト３２を掛ける第二横桟４２とを平行に設け、下部は指掛部４０ｂとして下方に向けて延設してなる。そして、背負帯本体３１の下端は上記第一横桟４１をその内側に巻き込んで折り返して、この折り返し部を縫合等して連結環体４０が該背負帯本体３１の下端に取付けられるようになしてある。
【００３１】
そして、前記背負帯副ベルト３２は、かばん本体１０を背負った際に使用者の体に荷重を加えるものではないので、クッション性は不要であり、一般の強靱な織り布製平帯体等が使用できる。そして、この背負帯副ベルト３２の自由端側は、前記第二横桟４２の上側を通って該第二横桟４２を巻き込み、さらに先端側を連結環体４０と背負帯副ベルト３２との間を通して下方にぶら下がるようになしてある。なお、この背負帯副ベルト３２の先端には、図１に最も明らかに示すように、引っ張り易くするための指掛け片３５を夫々設けてなる。
【００３２】
上記背負帯副ベルト３２の基端部は、適所に単に縫合して固定してもよいが、底板１３等に枢着しておくと、背負帯３０，３０が左右に開きやすくなって使用し易く、該背負帯副ベルト３２の基端部を合成樹脂板材３６ａ内に埋入させるか、該背負帯副ベルト３２の先端に合成樹脂板材３６ａを連結し、この合成樹脂板材３６ａを枢止軸３６で底板１３等に枢着（図３参照）すればよい。
【００３３】
したがって、上記連結環体４０が、図４に実線で示す状態（鉛直方向に向く）にある場合は、背負帯本体３１の点Ｘ部位を上方に、背負帯副ベルト３２の点Ｙ部位を下方に引くような外力(荷重)が加わると、この外力(荷重)の多くが背負帯副ベルト３２の折り返し二枚重ね部位に加わり、大きな摩擦抵抗となって点Ｘ，Ｙ間の距離が広がるのを防ぐ、言い換えると、背負帯３０の全体の長さは変更されないようになっている。そこで、該連結環体４０の下部を荷重に抗して指先で持ち上げ、この連結環体４０を矢印Ａ１方向に回動し、同図に破線で示すようになすと、前記背負帯副ベルト３２の折り返し部は離れて重ならなくなるので摩擦抵抗が加わらず、前記点Ｘ，Ｙ間の距離は容易に調整可能となるものである。
【００３４】
なお、上記連結環体４０の実際の使用では、かばん本体１０を背負って、背負帯を長くする場合は連結環体４０を図４に破線で示す状態とすると、かばん本体１０の荷重で、背負帯副ベルト３２は図４の矢印Ａ２方向にずれて背負帯３０の全長が伸びるものである。また、この背負帯３０の全長を短くする場合は、同じく、かばん本体１０を背負って、指掛け片３５に指をかけ、背負帯副ベルト３２の先端を使用者の体の前下方に引くと、該連結環体４０は同図の破線状態まで回動しないまでも同方向(矢印Ａ１方向）に回動し、容易に背負帯３０の全長を短くすることができるものである。
【００３５】
本発明は、前記両襠板１４，１４には、自由端側に吊り下げ連結環５１を取り付けた吊り下げ帯体５０の基端部を固定してなる。連結環５１は図示例では車椅子やバギーカー１００に設けたフック１０２（図２参照）に掛けるためのＤ環（平面がＤ字状の環）を使用しているが、無論車椅子やバギーカー１００に該フック１０２が用意されず、つり下げ用の環が同じ位置に設けられている場合(図示せず）は、Ｄ環に代え従来公知な茄子環(同じく図示せず）を取付ければよい。
【００３６】
そして、上記吊り下げ帯体５０は、その上端を襠板１４の適所に縫着又は鋲着すればよいが本実施例では、襠板１４の背板１１側で背板１１の上端より下方に下がった位置に、方形連結環５２の一辺を巻き込んで二つ折りした連結片５３を鋲着等によって固定し、この方形連結環５２の他辺に吊り下げ帯体５０の上端を連結してなる。なお、この吊り下げ帯体５０の取付け位置の限定と、構成の限定については後に詳細に説明することにする。なお、この吊り下げ帯体５０は両襠板１４，１４に一個ずつ設けるものである。
【００３７】
上記の構成に加えて、両襠板１４，１４には、その下部には上部が開口するポケット体６０を、上部には自由端側に吊り下げ連結環５１を取り付けた吊り下げ帯体５０の基端部を夫々取付けてなる。このポケット体６０は、図示実施例では、伸縮性を有した網体６１で構成し，その口元にはゴム帯６２を設けて、口元が常に襠板１４に密着するようになしてあるが、無論、その他の通常のポケット体６０であってもよい。
【００３８】
上記ポケット体６０，６０は第二の副収納部を形成するものであることは無論で、ハンカチーフ等の出し入れが頻繁な収納物を収納するもためのものであるが、本発明では吊り下げ帯体５０の自由端側を収納することも前提としたものである。すなわち、吊り下げ帯体５０を使用しない際に、その自由端が突出して他のものに引っ掛からないように体裁良く収納しておくもので、車椅子やバギーカー１００から思わぬものが突出していると、この突出物が自動車や他の物に引っ掛かると、交通事故の原因となったり、転倒したり、思わぬ衝撃を受たりすることがあり大変危険なものである。したがって、該吊り下げ帯体５０，５０を使用しない場合は、ポケット体６０内に収納しておくのが安全確保上必要となるものである。
【００３９】
上記の構成にさらに加えて、上記背板１１の両側辺部位に胴ベルト７０，７０の基端部を固定し、この両胴ベルト７０，７０の自由端側には相互に着脱可能な係止具７１ａ，７１ｂを取付けてなるものである。この胴ベルト７０，７０と係止具７１ａ，７１ｂとは、従来公知なものを使用すればよいが、従来は使用者の胴にかばん本体１０を固定するために使用したが、本願では図２に示すように、かばん本体１０を車椅子やバギーカー１００のハンドルポスト１０１、１０１に固定するためのものであり、胴ベルト７０，７０の長さは略この固定用に設定しておく(無論、全長は調整可能となして使用者の胴体にも巻き付けられるようにしてもよい。)ものとする。
【００４０】
上記かばん本体１０を車椅子やバギーカー１００に固定するには、背負帯本体３１，３１を図２に示すようにハンドルポスト１０１，１０１に掛けて吊り下げればよいが、この状態ではかばん本体１００が荷重によって横揺れすることがある。この横揺れは車椅子等の運転に支障をきたすし、横揺れしたかばん本体１０が他のものに引っ掛かって、前述したように危険でもある。そこで、この横揺れを防止して、かばん本体１０をしっかりと固定する必要性があり、前記吊り下げ帯体５０，５０によっても安定的な固定が可能ではあるが、より大きな荷重に対しても確実にかばん本体１０を車椅子やバギーカー１００に固定するため、本発明は該胴ベルト７０，７０でハンドルポスト１０１，１０１に、かばん本体１０を締着するようになしたものである。
【００４１】
【００４２】
本発明は上記一方の背負帯本体３１には、胸ベルト８１の一端を取付け、この胸ベルト８１の自由端側に一方側面状ファスナー８２ａを、先端に把手輪８３を取付け、他方の背負帯本体３１には上記一方側面状ファスナー８２ａが着脱可能に係合する他方側面状ファスナー８２ｂを取付けてなるものである。心身の一部に不自由な部位があると、背負ったかばんの背負帯３０，３０がずれ落ちると、これを直すのが困難なことが多いし、背負帯３０，３０がずれると違和感を感ずるので無意識のうちにかばん本体１０を下ろして、その場に忘れてきてしまうことも心身障害者に限らずあり得ることである。本発明は、この背負帯本体３１，３１のずれ落ちを防止するようにしたもので、両背負帯本体３１，３１を胸ベルト８１で連結するようになしたものである。
【００４３】
この種、胸ベルト８１に類似するものは、従来リュックサック等で汎用されているが、本発明では使用者の便宜を第一に優先したもので、着脱の容易性に最も重点を置いたものである。それ故、本発明では図５に示すように、一方の背負帯本体３１には胸ベルト８１の一端を取付け、この胸ベルト８１の自由端側に一方側面状ファスナー８２ａを、先端に把手輪８３を取付けて、他方の背負帯本体３１には一方側面状ファスナー８２ａが着脱可能に係合する他方側面状ファスナー８２ｂを取付け、該面状ファスナー８２ａ，８２ｂによる係合を利用している。すなわち、面状ファスナー８２ａ，８２ｂは、その面方向の外力に対しては充分大きな抗力を有し、面方向とは直交方向の外力では容易に外せるという性質を利用したものである。なお、図示例では、この胸ベルト８１の基端部は背負帯本体３１に固定せず、該背負帯本体３１に巻き付けるようにして連結することで、該背負帯本体３１を案内にして図５上下方向に移動可能となしている。
【００４４】
本発明では、上記胸ベルト８１の先端には把手輪８３を取付け、把手輪８３に手を掛けて面状ファスナー８２ａをより小さな力で面状ファスナー８２ｂより外せるようになしている。また、他方の背負帯本体３１には上記一方側面状ファスナー８２ａが着脱可能に係合する他方側面状ファスナー８２ｂを取付けてなるのは無論で、本実施例では図からは必ずしも明確ではないが、この他方側面状ファスナー８２ｂは背負帯本体３１を案内に上下方向に移動可能となした筒体部に取付けてある。なお、上記把手輪８３は自己保型性を有する材質を使用し、常に輪の形状となっているものを使用すると作業性がよい。具体的には合成樹脂の棒状体を布地で被覆したものを輪状に曲げて使用する等すればよいが、胸ベルト８１が比較的硬質で幅が大きいと、通常の布帯を使用しても輪の形状が常に保たれるものである。
【００４５】
本発明では該被せ蓋２０の自由端側に把手輪２２を取付けると共に、内面部に一方側面状ファスナー２１ａを縫着し、前板１２には上記一方側面状ファスナー２１ａが着脱可能に係止する他方側面状ファスナー２１ｂを縫着してある。
【００４６】
すなわち、本発明はかぶせ蓋２０に着脱の容易性を確保したもので、前記請求項４の胸ベルト８１と同様に面状ファスナー２１ａ，２１ｂと把手輪２２とを使用したものである。なお両面状ファスナー２１ａ，２１ｂは直接または間接的に、所定場所に縫着して固定している。これは、後に交換可能とするもので、機能回復訓練で指先の機能が回復した場合、または、この機能回復訓練の一助に該被せ蓋２０の係止具を利用しようとするもので、交換する係止具の一例としては図８乃至図１０に示すようなヒネリ錠と称されるものが利用できる。
【００４７】
このひねり錠は、被せ蓋２０の自由端に突設する「サガリ」と称する一方側係止具２３に長方形の窓孔２３ａ，２３ａを設け、かばん本体１０側に固定する他方側係止具２４にはその上面中央に前記一方側係止具２３が係入する低段部２４ｂを設け、この低段部２４ｂには上記窓孔２３ａ内に遊挿できる長方形のツマミ体２４ａをその縦軸(図８奥手前方向の軸)で所定回転角度ごとに係止されるように取付け、該一方側係止２３を低段部２４ｂに合わせて窓孔２３ａ内にツマミ体２４ａを挿通した後、該ツマミ体２４ａを一方側係止具２３の上方で９０度回動することで、該一方側係止具２３が他方側係止具２４の脱落不能に係合されるもので、この構成自体は従来公知なものである。
【００４８】
しかし、従来のこの種のひねり錠は上記ツマミ体２４ａの付近に支障物があって、指先が多少でも不自由であると着脱操作が非常に煩雑であると指摘された。すなわち、この種のひねり錠は従来はランドセルの底面に取付けるものであったので、ツマミ体２４ａが突出しないよう、前記低段部２４ｂは図１１及び図１２に示すように、ツマミ体２４ａの上端（図１１左端）が突出しない深さに深く構成してあるので、使用者はこの低段部２４ｂ内に操作する指を入れなくてはならず、逆に言うと、この低段部２４ｂ内に入れられる部位のみで、ツマミ体２４ａを操作しなくてはならないことになる。また、従来は一方側係止具２３も挟持金具２３ｂが用意され、一方側係止具２３と挟持金具２３ｂとで被せ蓋２０の先端をツマミ生地２５とを挟持して固定するようになしてあり、この挟持金具２３ｂの突出も支障物となるものであった。
【００４９】
そこで、本実施例では、低段部２４ｂの深さを、一方側係止具２３の厚みに限定して、さらには挟持金具２３ｂを省略して、ツマミ体２４ａを片手の全ての指で摘むこともできるようになし、多少指先が不自由でも操作できるようになしているものである。
【００５０】
【００５１】
【００５２】
前記両襠板１４，１４には、その下部には上部が開口するポケット体６０を、上部には自由端側に吊り下げ連結環５１を取り付けた吊り下げ帯体５０の基端部を夫々取付けてなるのは前記の構成と同じである。すなわち、本発明は、吊り下げ帯体５０，５０と胴ベルト７０，７０とでかばん本体１０をしっかりと車椅子やバギーカー１００に固定できるようになしたものである。
【００５３】
【００５４】
【００５５】
そして、前記両襠板１４，１４には、その下部には上部が開口するポケット体６０を取付け、この両襠板１４の背板１１側で背板１１の上端より下方に下がった位置に、方形連結環５２の一辺を巻き込んで二つ折りした連結片５３を鋲着等によって夫々固定し、この方形連結環５２，５２の他辺には夫々吊り下げ帯体５０の上端を連結してなるのは前記の構成と同じである。
【００５６】
なお、本発明では、吊り下げ帯体５０，５０を、両襠板１４，１４の背板１２側で背板１２の上端より下方に下がった位置に、方形連結環５２の一辺を巻き込んで二つ折りした連結片５３を鋲着等によって夫々固定し、この方形連結環５２，５２の他辺に連結してなる構成に限定してある。このように限定した理由は、該吊り下げ帯体５０，５０でかばん本体１０を吊り下げる際に、連結片５３及び方形連結環５２にひねり力を与え、この力が蓄積されバネ性を発揮して安定的支承を保証するものである。また、この吊り下げ帯体５０，５０の一部が背板１１の側辺、すなわち背板１１の面方向端部を保持することで最も効率的にかばん本体１０の横揺れを防止できるものである。
【００５７】
なお、図中９０は、ファスナー開口９２のスライダー９１に取付けた把手輪で、この把手輪９０は、前記把手輪２２，８３と同等のものが、同様な目的で使用されるものである。また、図３の符号９３は名札入れを示すものであるが、本実施例では、表面に万が一の医療用情報を記載した旨の表示、例えば赤十字マーク等を表記し、裏面には個人の氏名、血液型、病歴、常用薬品名、掛かり付け病院名等の記入欄を設けた医療カード入れに使用しているものである。
【００５８】
【発明の効果】
本発明は上記のごときであるので、身体障害者にも、介護者にも使用しやすい背負かばんを提供できる。特に、被せ蓋２０と背負帯本体３１，３１とを有したランドセル式となすことで使用しやすく、吊り下げ帯体５０，５０を設けたことで、車椅子やバギーカー１００に容易、確実に装着できる背負かばんを提供することができる。
【００５９】
上記効果に加え、ポケット体６０，６０を設けたので、このポケット体６０，６０に吊り下げ帯体５０の自由端側を体裁良く収納でき、かつ安全性が確保できる背負かばんを提供できる。
【００６０】
また胴ベルト７０，７０を設けたので、かばん本体１０を車椅子やバギーカー１００のハンドルポスト１０１、１０１に、確実に締着・固定でき、車椅子やバギーカー１００の運転に支障を与えず、安全性の高い背負かばんを提供できる。
【００６１】
また、胸ベルト８１を設けたので、背負帯本体３１，３１がずれ落ちることが無く、該胸ベルト８１の自由端側先端に把手輪８３を取付けたので、この把手輪８３を握ることで、両面状ファスナー８２ａ，８２ｂを小さな力で容易に外すことのできる背負かばんを提供できる。
【００６２】
また、被せ蓋２０の自由端側に把手輪２２を取付けると共に、内面部に一方側面状ファスナー２１ａを縫着し、前板１２には上記一方側面状ファスナー２１ａが着脱可能に係止する他方側面状ファスナー２１ｂを縫着してなるので、被せ蓋２０の開閉が容易で、手の作業性に多少支障を有する人も、自分で開閉できる背負かばんを提供できる。
【００６３】
また、ポケット体６０，６０と、吊り下げ帯体５０，５０、胴ベルト７０，７０とを設けたので、かばん本体１０をしっかりと車椅子やバギーカー１００に固定でき、安全で該車椅子やバギーカー１００の運転に支障を与えない背負かばんを提供できる。
【００６４】
また、ポケット体６０，６０と、吊り下げ帯体５０，５０と、胴ベルト７０，７０と、胸ベルト８１とを設けたので、前記効果に加えて、背負った際に背負帯本体３１，３１が肩よりずれ落ちない背負かばんを提供できるものである。
【図面の簡単な説明】
【図１】本発明背負かばんの一実施例を示す斜視図である。
【図２】使用例を示す側面図である。
【図３】他の実施例での蓋を開いた状態での正面図である。
【図４】本発明に使用される連結環体部位の要部縦断面図である。
【図５】さらに、別の実施例での背面図である。
【図６】本発明に使用される生地材の一実施例断面図である。
【図７】本発明の一実施例での胸ベルト部の要部横断面図である。
【図８】さらに別の実施例での正面図である。
【図９】図８例の係止具部の縦断面図である。
【図１０】図８例の係止具部の底面図である。
【図１１】従来の係止具部の図９相当部位の縦断面図である。
【図１２】従来例の係止具部の図１０相当部位の底面図である。
【符号の説明】
１０      かばん本体
１１      背板
１２      前板
１３      底板
１４      襠板
２０      被せ蓋
２１ａ    一方側面状ファスナー
２１ｂ    他方側面状ファスナー
２２      把手輪
３０      背負帯
３１      背負帯本体
３２      背負帯副ベルト
４０      連結環体
５０      吊り下げ帯体
５１      吊り下げ連結環
５２      方形連結環
５３      連結片
６０      ポケット体
７０      胴ベルト
７１ａ    係止具
７１ｂ    係止具
８１      胸ベルト
８２ａ    一方側面状ファスナー
８２ｂ    他方側面状ファスナー
【図１】
0003550086.tif 000002
【図２】
0003550086.tif 000003
【図３】
0003550086.tif 000004
【図４】
0003550086.tif 000005
【図５】
0003550086.tif 000006
【図６】
0003550086.tif 000007
【図７】
0003550086.tif 000008
【図８】
0003550086.tif 000009
【図９】
0003550086.tif 000010
【図１０】
0003550086.tif 000011
【図１１】
0003550086.tif 000012
【図１２】
0003550086.tif 000013